(57)【特許請求の範囲】
【請求項１】
コンピュータシステムを構成する複数のサーバそれぞれから、そのサーバにおけるジョブの実行スケジュールを示すスケジュール情報を収集するスケジュール情報収集手段と、
該スケジュール情報収集手段が収集した前記複数のサーバのスケジュール情報の全部或いは一部に対して、システムオペレータからの指示に従って編集処理を行うスケジュール情報編集手段と、
該スケジュール情報編集手段による編集処理が終了した後の、前記複数のサーバのスケジュール情報をそれぞれ対応するサーバへ配信するスケジュール情報配信手段とを備えたことを特徴とするジョブスケジュール運用管理装置。
【請求項２】
請求項１記載のジョブスケジュール運用管理装置において、
スケジュール情報世代管理領域と、
前記スケジュール情報収集手段が収集した前記複数のサーバのスケジュール情報を、同一世代のスケジュール情報として前記スケジュール情報世代管理領域に追加の形式で格納する世代管理手段とを備えたことを特徴とするジョブスケジュール運用管理装置。
【請求項３】
請求項１記載のジョブスケジュール運用管理装置において、
スケジュール情報世代管理領域と、
前記スケジュール情報編集手段による編集処理が終了した後の、前記複数のサーバのスケジュール情報を、同一世代のスケジュール情報として前記スケジュール情報世代管理領域に追加の形式で格納する世代管理手段とを備えたことを特徴とするジョブスケジュール運用管理装置。
【請求項４】
請求項１記載のジョブスケジュール運用管理装置において、
前記スケジュール情報配信手段は、前記複数のサーバのスケジュール情報の内の、前記スケジュール情報編集手段によって編集処理の行われたサーバのスケジュール情報のみをそれぞれ対応するサーバへ配信する構成を有することを特徴とするジョブスケジュール運用管理装置。
【請求項５】
請求項１記載のジョブスケジュール運用管理装置において、
前記スケジュール情報編集手段は、前記スケジュール情報収集手段が収集した複数のサーバのスケジュール情報を表示画面に表示し、該表示画面上でシステムオペレータの指示に従ったスケジュール情報の編集処理を行う構成を有することを特徴とするジョブスケジュール運用管理装置。
【請求項６】
請求項５記載のジョブスケジュール運用管理装置において、
前記スケジュール情報編集手段は、表計算ソフトウェアによって実現されることを特徴とするジョブスケジュール運用管理装置。
【請求項７】
コンピュータシステムを構成する複数のサーバそれぞれから、そのサーバにおけるジョブの実行スケジュールを示すスケジュール情報を収集するスケジュール情報収集ステップと、
該スケジュール情報収集ステップで収集した前記複数のサーバのスケジュール情報の全部或いは一部に対して、システムオペレータからの指示に従って編集処理を行うスケジュール情報編集ステップと、
該スケジュール情報編集ステップによる編集処理が終了した後の、前記複数のサーバのスケジュール情報をそれぞれ対応するサーバへ配信するスケジュール情報配信ステップとを含むことを特徴とするジョブスケジュール運用管理方法。
【請求項８】
請求項７記載のジョブスケジュール運用管理方法において、
前記スケジュール情報収集ステップで収集した前記複数のサーバのスケジュール情報を、同一世代のスケジュール情報としてスケジュール情報世代管理領域に追加の形式で格納する世代管理ステップを含むことを特徴とするジョブスケジュール運用管理方法。
【請求項９】
請求項７記載のジョブスケジュール運用管理方法において、
前記スケジュール情報編集ステップによる編集処理が終了した後の、前記複数のサーバのスケジュール情報を、同一世代のスケジュール情報として前記スケジュール情報世代管理領域に追加の形式で格納する世代管理ステップと含むことを特徴とするジョブスケジュール運用管理方法。
【請求項１０】
請求項７記載のジョブスケジュール運用管理方法において、
前記スケジュール情報配信ステップでは、前記複数のサーバのスケジュール情報の内の、前記スケジュール情報編集ステップによって編集処理の行われたサーバのスケジュール情報のみそれぞれを対応するサーバへ配信することを特徴とするジョブスケジュール運用管理方法。
【請求項１１】
請求項７記載のジョブスケジュール運用管理方法において、
前記スケジュール情報編集ステップでは、前記スケジュール情報収集ステップで収集した複数のサーバのスケジュール情報を表示画面に表示し、該表示画面上でシステムオペレータの指示に従ったスケジュール情報の編集処理を行うことを特徴とするジョブスケジュール運用管理方法。
【請求項１２】
コンピュータを、
コンピュータシステムを構成する複数のサーバそれぞれから、そのサーバにおけるジョブの実行スケジュールを示すスケジュール情報を収集するスケジュール情報収集手段、
該スケジュール情報収集手段が収集した前記複数のサーバのスケジュール情報の全部或いは一部に対して、システムオペレータからの指示に従って編集処理を行うスケジュール情報編集手段、
該スケジュール情報編集手段による編集処理が終了した後の、前記複数のサーバのスケジュール情報をそれぞれ対応するサーバへ配信するスケジュール情報配信手段として機能させるためのプログラムを記録したプログラム記録媒体。
【発明の詳細な説明】
【０００１】
【発明の属する技術分野】
本発明は、コンピュータシステムを構成する複数のサーバで実行されるジョブのスケジュール管理を容易に行うことができるジョブスケジュール運用管理技術に関する。
【０００２】
【従来の技術】
一般に、複数のサーバをネットワークで接続したコンピュータシステムでは、遠隔地のサーバに対してさまざまな運用作業を行うことが必要となる。例えば、ジョブの実行タイミングや、実行するジョブを変更することが必要になるサーバを有しているコンピュータシステムにおいては、ジョブスケジュールを変更するための運用作業が必要になる。
【０００３】
ところで、ジョブスケジュールを変更する場合、従来は、次の２つの方法が一般的に使用されていた。
【０００４】
第１の方法は、システムオペレータが、自身が操作する運用端末とジョブスケジュールの変更対象サーバとをネットワークを介して接続し、その後、運用端末を用いて変更対象サーバが保持しているジョブのスケジュール情報に対する編集（追加，削除，変更）操作を行うというものである。ここで、ジョブスケジュールの変更対象サーバが複数台存在する場合には、上記した作業を各変更対象サーバに対して行う。また、スケジュール情報に対する編集操作は、サーバのＯＳ等に依存した操作方法であり、特殊な操作方法である。
【０００５】
第２の方法は、コンピュータシステムを構成する全てのサーバのジョブのスケジュール情報を一元管理すると共にスケジュール情報によって示されるタイミングになった時点で、該当サーバへ該当ジョブの実行指示を送るジョブ制御サーバを用意し、ジョブの実行タイミング等を変更することが必要になった場合は、ジョブ制御サーバが保持しているスケジュール情報の編集操作を行うというものである。この第２の方法における編集操作も、ジョブ制御サーバのＯＳ等に依存した特殊な操作方法である。
【０００６】
【発明が解決しようとする課題】
上述した従来の技術には次のような問題点があった。
【０００７】
第１の問題点は、上記第１の方法において、ジョブのスケジュール情報を変更しなければならないサーバ台数が多い場合、システムオペレータの作業量が非常に多くなる点である。その理由は、システムオペレータが、変更対象サーバそれぞれに対して１台ずつ接続作業を行わなければならず、作業量が変更対象サーバ台数に比例するためである。
【０００８】
第２の問題点は、上記第１の方法において、サーバ台数が多いコンピュータシステムで、かつサーバ毎に異なるスケジュール情報の追加，変更，削除を行う場合、作業ミスを引き起こしやすい点である。その理由はスケジュール情報の変更を行う場合、ある時点では１台のサーバにしか接続されておらず、接続されているサーバのスケジュール情報しか参照できないからである。つまり、他サーバのスケジュール情報を参照しながら作業できず、他サーバとの関係が把握できないためである。
【０００９】
第３の問題点は、上記第２の方法において、ジョブ制御サーバの障害や、ジョブ制御サーバ付近のネットワーク障害などで他サーバと通信できない場合、コンピュータシステム内の全サーバがジョブを実行できない点である。その理由は、ジョブ制御サーバが全サーバのジョブのスケジュール情報を管理し、スケジュール情報によって示されるタイミングになった時点で、ネットワークを介してジョブ実行指示を送るためである。
【００１０】
第４の問題点は、上記第１，第２の方法において、システムオペレータに独自の操作技術が要求される点である。その理由は、サーバのジョブスケジュールの追加，変更，削除の操作は、一般的に知られているソフトウェアではなく、サーバのＯＳ等に依存した特殊な操作方法であるためである。
【００１１】
そこで、本発明の目的は、ネットワーク障害等の障害の影響を受けにくくすると共に、多数のサーバのスケジュール情報を変更する場合においても、システムオペレータにあまり負担をかけずに、ミスの少ないスケジュール情報の変更を行えるようにすることにある。また、本発明の他の目的は、システムオペレータがスケジュール情報の編集処理のための特殊な操作方法を訓練せずとも、スケジュール情報の編集処理を行えるようにすることにある。
【００１２】
【課題を解決するための手段】
本発明のジョブスケジュール運用管理装置は、スケジュール情報収集手段を用いて、コンピュータシステムを構成する複数のサーバからスケジュール情報を自動的に収集するようにしているので、スケジュール情報を変更しなければならないサーバの台数が多い場合においても、システムオペレータの作業量を少ないものにすることができる。更に、本発明のジョブスケジュール運用管理装置は、スケジュール情報配信手段を用いて、各サーバへ編集処理後のスケジュール情報を配信するようにしているので、ネットワーク障害等の障害の影響を受けにくくすることができる。また、スケジュール情報の編集時には、スケジュール情報収集手段が収集した複数のサーバのスケジュール情報を表示画面に表示し、この表示画面上でシステムオペレータの指示に従ったスケジュール情報の編集処理を行うようにしており、複数のサーバのスケジュール情報を参照しながら編集処理を行うことができるので、スケジュール情報編集時のミスを少ないものにすることができる。また、スケジュール情報編集手段を、一般的な表計算ソフトウェアにより実現しているので、システムオペレータが特殊な操作方法を習得するための訓練を行わなくとも良い。
【００１３】
【発明の実施の形態】
次に本発明の実施の形態について図面を参照して詳細に説明する。
【００１４】
図１は本発明の実施例のブロック図であり、コンピュータシステムを構成する、遠隔地に配置された複数台のサーバ１−１〜１−ｎ（ｎ≧２）と、コンピュータによって実現されるジョブスケジュール運用管理装置２と、それらを相互に接続するネットワーク３とから構成されている。
【００１５】
サーバ１−１〜１−ｎは、その内部にスケジュール情報ファイル１１−１〜１１−ｎを有している。スケジュール情報ファイル１１−１〜１１−ｎには、それぞれサーバ１−１〜１−ｎにおけるジョブの実行スケジュールを示すスケジュール情報が格納されており、サーバ１−１〜１−ｎは、それぞれスケジュール情報ファイル１１−１〜１１−ｎに格納されているスケジュール情報に従ってジョブを実行する。
【００１６】
図２はスケジュール情報ファイル１１−１の内容例を示した図である。スケジュール情報は、ジョブ名と、そのジョブ名のジョブの実行タイミングを示す実行タイミング情報とから構成されている。図２の例は、ジョブ名Ｊａのジョブは、毎日８時００分に実行され、ジョブ名Ｊｂのジョブは、日曜日以外の曜日の２３時００分に実行されることを示している。
【００１７】
ジョブスケジュール運用管理装置２は、システムオペレータが使用する端末であり、スケジュール情報収集手段２１と、スケジュール情報配信手段２２と、サーバ構成情報ファイル２３と、スケジュール情報編集領域２４と、世代管理手段２５と、スケジュール情報世代管理領域２６と、スケジュール情報編集手段２７と、キーボード，マウス等の入力部２８と、ＣＲＴ等の表示部２９と、記録媒体Ｋとを備えている。
【００１８】
サーバ構成情報ファイル２３には、コンピュータシステムを構成するサーバ１−１〜１−ｎのサーバ名とアドレスとが対応して登録されている。図３は、サーバ構成情報ファイル２３の内容例を示す図であり、サーバ１−１〜１−ｎのサーバ名Ｓ１〜Ｓｎとアドレスａｄ１〜ａｄｎとが対応付けて登録されている。
【００１９】
スケジュール情報収集手段２１は、サーバ構成情報ファイル２３に定義されている各サーバ１−１〜１−ｎにリモート接続して、サーバ１−１〜１−ｎ内のスケジュール情報ファイル１１−１〜１１−ｎからスケジュール情報を収集し、スケジュール情報編集領域２４へ上書きの形式で格納する機能を有する。
【００２０】
スケジュール情報編集手段２７は、スケジュール情報収集手段２１がスケジュール情報編集領域２４に格納した各サーバ１−１〜１−ｎのスケジュール情報を読み込み、それらを表形式或いはＧＵＩ形式で表示部２９に表示する機能や、入力部２８を介して加えられるシステムオペレータの指示に従って、表示部２９の画面上でスケジュール情報の編集処理を行う機能や、編集結果をスケジュール情報編集領域２４に格納されているスケジュール情報に反映させる機能を有する。尚、スケジュール情報編集手段２７は、例えば、標準的な表計算ソフトウェアによって実現することができる。
【００２１】
スケジュール情報配信手段２２は、サーバ構成情報ファイル２３に定義されている各サーバ１−１〜１−ｎにリモート接続して、スケジュール情報編集手段２７による編集処理が行われた後の、スケジュール情報編集領域２４に格納されているサーバ１−１〜１−ｎのスケジュール情報をそれぞれサーバ１−１〜１−ｎへ配信する機能を有する。
【００２２】
スケジュール情報編集領域２４には、スケジュール情報収集手段２１が収集した各サーバ１−１〜１−ｎのスケジュール情報が格納される。また、スケジュール情報編集領域２４に格納されたスケジュール情報は、スケジュール情報編集手段２７により編集される。
【００２３】
世代管理手段２５は、スケジュール情報編集領域２４に格納される各サーバ１−１〜１−ｎのスケジュール情報を世代管理してスケジュール情報世代管理領域２６に格納する機能を有する。図４は、スケジュール情報世代管理領域２６の内容例を示す図であり、世代番号に対応付けて各サーバ１−１〜１−ｎのスケジュール情報が格納されている。
【００２４】
記録媒体Ｋは、ディスク，半導体メモリ，その他の記録媒体であり、コンピュータをジョブスケジュール運用管理装置２として機能させるためのプログラムが記録されている。このプログラムは、コンピュータによって読み取られ、コンピュータの動作を制御することで、コンピュータ上に、スケジュール情報収集手段２１，スケジュール情報配信手段２２，世代管理手段２５，スケジュール情報編集手段２７を実現する。
【００２５】
【実施例の動作】
次に本実施例の動作について詳細に説明する。
【００２６】
システムオペレータは、コンピュータシステムを構成するサーバ１−１〜１−ｎの内の、少なくとも１台のジョブスケジュールを変更することが必要になった場合、入力部２８からスケジュール情報収集手段２１に対して起動指示を入力する。
【００２７】
これにより、スケジュール情報収集手段２１は、サーバ構成情報ファイル２３にアドレスが格納されているサーバ１−１〜１−ｎとスケジュール情報収集手段２１とを順次接続し、接続先のサーバ１−ｉ（１≦ｉ≦ｎ）内のスケジュール情報ファイル１１−ｉからスケジュール情報を収集してスケジュール情報編集領域２４に格納する（図５，Ｆ５１）。
【００２８】
スケジュール情報収集手段２１によって全てのサーバ１−１〜１−ｎのスケジュール情報がスケジュール情報編集領域２４に格納されると、世代管理手段２５が、スケジュール情報編集領域２４の内容をスケジュール情報世代管理領域２６にコピーする（Ｆ５２）。その際、世代管理手段２５は、スケジュール情報世代管理領域２６に格納されている最新の世代番号に「１」を加えた世代番号も各サーバのスケジュール情報に対応付けてスケジュール情報世代管理領域２６に格納する。今、例えば、スケジュール情報世代管理領域２６に格納されている最新の世代番号が「２」であったとすると、世代管理手段２５は、世代番号「３」を各サーバのスケジュール情報に対応付けて格納することになる。
【００２９】
また、スケジュール情報編集手段２７は、スケジュール情報収集手段２１によって各サーバ１−１〜１−ｎのスケジュール情報がスケジュール情報編集領域２４に格納されると、その編集処理を行う（Ｆ５３）。
【００３０】
この編集処理においては、スケジュール情報編集手段２７は、先ず、スケジュール情報編集領域２４に格納されている各サーバ１−１〜１−ｎのスケジュール情報を読み込み、表形式或いはＧＵＩ形式で表示部２９に表示する。図６は、表形式で各サーバ１−１〜１−ｎのスケジュール情報を表示した時の例を示している。システムオペレータは図６のような画面が表示されると、入力部２８を用いて画面上でスケジュール情報を編集する。例えば、サーバ１−１で実行されているジョブ名Ｊａのジョブの実行タイミングを「毎日，９時００分」に変更するのであれば、図６の欄６１の内容を「毎日，８時００分」から「毎日，９時００分」に変更する。また、サーバ１−１においてジョブ名Ｊｂのジョブを実行しないようにする場合には、図６の欄６２，６３の内容を削除する。また、サーバ１−ｎにおいて、新たなジョブ（ジョブ名Ｊｚのジョブ）を実行させるようにするのであれば、図６の欄６４にジョブ名Ｊｚを入力し、欄６５のその実行タイミング情報を入力すれば良い。スケジュール情報編集手段２７は、システムオペレータが表示部２９の画面上で行った編集操作を、スケジュール情報編集領域２４に格納されているスケジュール情報に反映させる。
【００３１】
スケジュール情報の編集処理が終了すると、システムオペレータは、入力部２８からスケジュール情報配信手段２２に対する起動指示を入力する。
【００３２】
これにより、スケジュール情報配信手段２２は、スケジュール情報編集領域２４に格納されている各サーバ１−１〜１−ｎのスケジュール情報を、サーバ構成情報ファイル２３の内容に従って、それぞれサーバ１−１〜１−ｎへ配信する（Ｆ５４）。各サーバ１−１〜１−ｎは、ジョブスケジュール運用管理装置２から送られてきたスケジュール情報を、スケジュール情報ファイル１１−１〜１１−ｎに上書きの形で格納する。以後、各サーバ１−１〜１−ｎは、上書きされたスケジュール情報に従ってジョブを実行する。
【００３３】
また、世代管理手段２５は、スケジュール情報編集手段２７によるスケジュール情報の編集処理が終了すると、スケジュール情報編集領域２４の内容をスケジュール情報世代管理領域２６にコピーする（Ｆ５５）。その際、世代管理手段２５は、スケジュール情報世代管理領域２６に格納されている最新の世代番号に「１」を加えた世代番号も各サーバのスケジュール情報に対応付けてスケジュール情報世代管理領域２６に格納する。以上の動作で、サーバ１−１〜１−ｎのジョブスケジュール変更作業が完了する。
【００３４】
次に、各サーバ１−１〜１−ｎのスケジュール情報を現世代よりも前の世代のものに戻す場合の動作について説明する。この場合、システムオペレータは、入力部２８から世代管理手段２５に対して、世代戻し指示を入力する。
【００３５】
これにより、世代管理手段２５は、スケジュール情報世代管理領域２６の内容を表示部２９に表示する（図７，Ｆ７１）。システムオペレータは、この表示を見て、戻す世代を決定し、その世代番号を入力部２８から入力する。これにより、世代管理手段２５は、ジョブスケジュール情報世代管理領域２６に格納されている各世代のスケジュール情報の内の、システムオペレータによって指定された世代のスケジュール情報をスケジュール情報編集領域２４に格納し、スケジュール情報配信手段２２に対して配信指示を出力する（Ｆ７２）。これにより、スケジュール情報配信手段２２は、スケジュール情報編集領域２４に格納されている、各サーバ１−１〜１−ｎのシステムオペレータによって指定された世代のスケジュール情報を、サーバ構成情報ファイル２３の内容に従って各サーバ１−１〜１−ｎに配信する（Ｆ７３）。
【００３６】
尚、上述した実施例においては、スケジュール情報編集手段２７による編集処理が終了した後、スケジュール情報編集領域２４に格納されている全てのサーバ１−１〜１−ｎのスケジュール情報を、スケジュール情報配信手段２２を用いてそれぞれサーバ１−１〜１−ｎに配信するようにしたが、編集処理が行われたサーバのスケジュール情報のみを、対応するサーバへ配信するようにしても良い。このようにする場合には、システムオペレータが、入力部２８を用いてスケジュール情報を編集したサーバのサーバ名を入力することにより配信するスケジュール情報を指定し、スケジュール情報配信手段２２が、スケジュール情報編集領域２４に格納されている各サーバのスケジュール情報の内の、システムオペレータによって指定されたスケジュール情報のみを該当するサーバに配信するようにすれば良い。
【００３７】
また、上述した実施例においては、スケジュール情報収集手段２１が、全てのサーバ１−１〜１−ｎからスケジュール情報を収集するようにしたが、システムオペレータによって指定されたサーバのみからスケジュール情報を収集するようにしても良い。この場合、システムオペレータは、入力部２８からスケジュール情報収集手段２１に対して起動指示を入力する際、起動指示にスケジュール情報を収集するサーバのサーバ名を含め、スケジュール情報収集手段２１は、サーバ名の含まれている起動指示が与えられた場合は、それに含まれているサーバ名のサーバのみからスケジュール情報を収集する。
【００３８】
また、上述したように、システムオペレータによって指定されたサーバのみからスケジュール情報を収集するようにすると、スケジュール情報編集領域２４にスケジュール情報が格納されないサーバが発生してしまう場合があり、このような場合、世代管理手段２５が図５のステップＦ５２，Ｆ５５において、前述した処理と同様の処理を行うと、スケジュール情報世代管理領域２６にスケジュール情報が格納されないサーバが発生してしまう。このようなことを防ぐためには、例えば、ステップＦ５２，Ｆ５５においてスケジュール情報編集領域２４の内容をスケジュール情報世代管理領域２６にコピーする際、スケジュール情報が存在しないサーバについては、１世代前のそのサーバのスケジュール情報を格納するようにすれば良い。
【００３９】
【発明の効果】
第１の効果は、多数のサーバのジョブスケジュールを変更する際のシステムオペレータの作業量を従来の技術に比較して低減できることにある。その理由は、スケジュール情報収集手段によりコンピュータシステムを構成する複数のサーバからスケジュール情報を自動的に収集するようにしているからである。また、スケジュール情報収集手段を使用することにより、コンピュータシステムを構成する各サーバの現在のジョブスケジュールを容易に確認することも可能になる。
【００４０】
第２の効果は、スケジュール情報編集時のミスを少ないものにすることができることにある。その理由は、スケジュール情報の編集時に、スケジュール情報収集手段が収集した複数のサーバのスケジュール情報を表示画面に表示し、この表示画面上でシステムオペレータの指示に従ったスケジュール情報の編集処理を行うようにしており、複数のサーバのスケジュール情報を参照しながら編集処理を行うことができるからである。
【００４１】
第３の効果は、スケジュールしたジョブは他のサーバの障害やネットワーク障害の影響を受けずに実行されることにある。その理由は、変更したスケジュール情報を対象サーバへ配信するので、ジョブ実行を制御するマシンを必要とせずにジョブが実行されるためである。
【００４２】
第４の効果は、スケジュール変更の戻し作業が簡潔にできることにある。その理由は、世代管理手段により、スケジュール情報収集手段が収集したスケジュールや、スケジュール情報編集手段が編集処理を行ったスケジュール情報が、スケジュール情報世代管理領域に格納され、上書きせずに世代管理されるためである。以前のスケジュール情報に戻したい場合は、スケジュール情報世代管理領域の世代の中から戻したい時点の世代を選択し、スケジュール情報配信手段の機能でサーバへ配信することで、ある時点のスケジュール状態に戻すことができる。
【００４３】
第５の効果は、スケジュール情報の編集操作方法に特殊な操作用法が必要ないということである。その理由は、スケジュール情報編集手段を、一般的な表計算ソフトウェアにより実現しているからである。
【図面の簡単な説明】
【図１】本発明の実施例のブロック図である。
【図２】スケジュール情報ファイル１１−１の内容例を示す図である。
【図３】サーバ構成情報ファイル２３の内容例を示す図である。
【図４】スケジュール情報世代管理領域２６の内容例を示す図である。
【図５】ショブスケジュール変更時のジョブスケジュール運用管理装置２の処理例を示す流れ図である。
【図６】スケジュール情報編集時の画面の表示例を示す図である。
【図７】スケジュール情報を現世代よりも前のものに戻す際のジョブスケジュール運用管理装置２の処理例を示す流れ図である。
【符号の説明】
１−１〜１−ｎ…サーバ
１１−１〜１１−ｎ…スケジュール情報ファイル
２…ジョブスケジュール運用管理装置
２１…スケジュール情報収集手段
２２…スケジュール情報配信手段
２３…サーバ構成情報ファイル
２４…スケジュール情報編集領域
２５…世代管理手段
２６…スケジュール情報世代管理領域
２７…スケジュール情報編集手段
２８…入力部
２９…表示部
Ｋ…記録媒体
３…ネットワーク
【図１】
0003614091.tif 000002
【図２】
0003614091.tif 000003
【図３】
0003614091.tif 000004
【図４】
0003614091.tif 000005
【図５】
0003614091.tif 000006
【図６】
0003614091.tif 000007
【図７】
0003614091.tif 000008